(57)【要約】  本発明は、材料粉末から３次元のオブジェクトを製造する設備（１）に関し、この製造は、処理面（４２）上に位置している材料粉末を、それぞれの層（４０）の、幾何学形状データに従ってまさに製造すべきオブジェクトに相当する箇所において、層状に硬化させることによって行われ、このとき設備（１）は、処理面を取り囲む処理底部（４６）および粉末供給装置（１０）を、処理面（４２）上における粉末の供給、準備および分配のために含んでおり、このとき粉末供給装置（１０）は、粉末供給装置（１０）内に粉末を供給する搬送エレメント（１２）と、少なくとも１つの搬送エレメント（１２）によって粉末が内部に供給される貯え室（１４）と、貯え室（１４）内における粉末に作用することができ、これによって粉末を調量された量で処理面（４２）に隣接させて処理底部（４６）において準備することができる、処理搬送エレメント（１６）と、処理面（４２）に隣接して準備された粉末を、処理面（４２）にわたって分配する処理スライダ（１８）と、を含んでおり、このとき処理搬送エレメント（１６）は、粉末が処理面（４２）に隣接して線の形で準備可能であるように設計されている。
2019531938.tif 000002
【特許請求の範囲】
【請求項１】
材料粉末から３次元のオブジェクトを製造する設備（１）であって、この製造は、処理面（４２）上に位置している前記材料粉末を、それぞれの層（４０）の、幾何学形状データに従ってまさに製造すべきオブジェクトに相当する箇所において、層状に硬化させることによって行われ、当該設備（１）は、前記処理面を取り囲む処理底部（４６）および粉末供給装置（１０）を、前記処理面（４２）上における前記粉末の供給、準備および分配のために含んでおり、前記粉末供給装置（１０）は、
前記粉末供給装置（１０）内に前記粉末を供給する搬送エレメント（１２）と、
少なくとも１つの前記搬送エレメント（１２）によって前記粉末が内部に供給される貯え室（１４）と、
前記貯え室（１４）内における粉末に作用することができ、これによって前記粉末を調量された量で前記処理面（４２）に隣接させて前記処理底部（４６）において準備することができる、処理搬送エレメント（１６）と、
前記処理面（４２）に隣接して準備された前記粉末を、前記処理面（４２）にわたって分配する処理スライダ（１８）と、
を含んでいる、設備（１）において、
前記処理搬送エレメント（１６）は、前記粉末が前記処理面（４２）に隣接して線の形で準備可能であるように設計されている
ことを特徴とする、粉末供給装置（１０）を備えた設備（１）。
【請求項２】
前記処理搬送エレメント（１６）は、一方向において往復移動可能な縦長のスライド面（１９）を用いて前記粉末に作用する、
請求項１記載の、粉末供給装置（１０）を備えた設備（１）。
【請求項３】
前記線は、直線であるか、または凹面状に湾曲している、
請求項１または２記載の、粉末供給装置（１０）を備えた設備（１）。
【請求項４】
前記処理スライダ（１８）は、準備された前記粉末を、並進移動によって前記処理面を越えて、特に一方向への並進移動および逆方向への並進移動だけによって、分配する、
請求項１から３までのいずれか１項記載の、粉末供給装置（１０）を備えた設備（１）。
【請求項５】
前記処理スライダ（１８）は、前記処理底部（４６）に関して移動調節可能であり、これによってあるときは、前記処理スライダ（１８）の下端部が前記処理底部（４６）に接触するか、または極めて近傍に達し、これによりあるときは、前記下端部が前記処理底部（４６）から間隔をおいて位置する、
請求項１から４までのいずれか１項記載の、粉末供給装置（１０）を備えた設備（１）。
【請求項６】
前記貯え室（１４）は、縦長に形成されており、かつ前記搬送エレメント（１２）は、貯え搬送エレメント（２０）に接して終端しており、該貯え搬送エレメント（２０）は、部分的に前記貯え室（１４）内に配置されているか、または前記貯え室（１４）に隣接して配置されており、これによって、供給された前記粉末が、前記貯え室（１４）に沿って分配される、
請求項１から５までのいずれか１項記載の、粉末供給装置（１０）を備えた設備（１）。
【請求項７】
前記貯え搬送エレメント（２０）は、スクリュコンベヤを含んでいるか、またはスクリュコンベヤであり、該スクリュコンベヤは、前記貯え室（１４）に沿って延びており、特に、両回転方向において駆動するように設計されている駆動装置を備えたスクリュコンベヤであり、かつ／または均一に連続するスクリュ螺条を備えておらず、一方向への回転方向を有する領域と他方向への回転方向を有する領域とを備えたスクリュコンベヤである、
請求項６記載の、粉末供給装置（１０）を備えた設備（１）。
【請求項８】
前記貯え搬送エレメント（２０）は、前記粉末を互いに逆向きの搬送方向に搬送し、かつ／または前記粉末を同時に互いに逆向きの２つの方向に搬送する、２つの形式で作動可能である、
請求項６または７記載の、粉末供給装置（１０）を備えた設備（１）。
【請求項９】
前記搬送エレメント（１２）は、スクリュコンベヤを含んでいるか、またはスクリュコンベヤである、
請求項１から８までのいずれか１項記載の、粉末供給装置（１０）を備えた設備（１）。
【請求項１０】
前記処理底部（４６）に、縦長のスリット状の開口（２１）が前記貯え室（１４）にまで形成されており、前記開口（２１）内への前記処理搬送エレメント（１６）の導入によって前記処理面（４２）へと隣接させて前記粉末を移動させるようになっており、好ましくは前記開口（２１）と前記処理搬送エレメント（１６）とは、通常の粒径を有する粉末が、前記処理搬送エレメント（１６）の側壁と前記開口（２１）の内壁との間にほぼ達し得ないように、形状結合式にかつ／または密に互いに合わせられている、
請求項１から９までのいずれか１項記載の、粉末供給装置（１０）を備えた設備（１）。
【請求項１１】
前記貯え室（１４）は、前記処理底部（４６）の下に、かつ平面図で見て前記処理面（４２）の側部に配置されている、
請求項１から１０までのいずれか１項記載の、粉末供給装置（１０）を備えた設備（１）。
【請求項１２】
前記処理搬送エレメント（１６）は、往復動ピストンエレメントとして、特にＴ字形の往復動ピストンエレメントとして形成されている、
請求項１から１１までのいずれか１項記載の、粉末供給装置（１０）を備えた設備（１）。
【発明の詳細な説明】
【技術分野】
【０００１】
本発明は、材料粉末から３次元のオブジェクトを製造する設備であって、この製造は、処理面上に位置しているこの材料粉末を、それぞれの層の、幾何学形状データに従ってまさに製造すべきオブジェクトに相当する箇所において、層状に硬化させることによって行われ、このとき設備は、処理面を取り囲む処理底部および粉末供給装置を、処理面上における粉末の供給、準備および分配のために含んでおり、このとき粉末供給装置は、
・粉末供給装置内に粉末を供給する搬送エレメントと、
・少なくとも１つの搬送エレメントによって粉末が内部に供給される貯え室と、
・貯え室内における粉末に作用することができ、これによって粉末を調量された量で処理面に隣接させて処理底部において準備することができる、処理搬送エレメントと、
・処理面に隣接して準備された粉末を、処理面にわたって分配する処理スライダと、
を含んでいる、設備に関する。
【０００２】
このような設備では、製造処理は通常、下記のステップ、すなわち、
- 処理面を、取り囲む処理底部に関して使用する粉末に対して適合する高さに移動させるステップ、
- 粉末量を、処理面に隣接させて準備するステップ（これは上に述べたステップと同時に行うことも、または上に述べたステップの前に行うことも可能である）、
- 処理スライダまたは他の相応の工具を用いて、粉末を処理面上にもしくは処理面にわたって均一に分配するステップ、
- 処理面上に分配された粉末の相応の領域を、例えばレーザ溶融によって硬化させるステップ、
- 場合によっては、余剰の硬化されていない粉末を除去するステップ、および
- 処理面を新たに移動させ、かつさらなる粉末を準備するステップ、
の繰り返しによって実行される。
【０００３】
このとき製造されるオブジェクトの品質にとって重要なことは、それぞれの層において可能な限り正確に、所望の量の粉末が、可能な限り正確に所望の箇所において硬化されることであり、これによってオブジェクトを、幾何学形状データに従った所望の幾何学形状で、かつ特に可能な限り均質な所望の固体マイクロ構造で製造することができる。
【０００４】
しかしながらそのためには、処理面上における粉末の可能な限り均一な分配が好適である。したがって、粉末の均一な分配は、所望のオブジェクトの精密な製造のために極めて重要である。
【０００５】
しかしながら従来のシステムにおいて、粉末のこの均一な分配は、常に達成されているわけではない。例えば１つの公知の設備型式において粉末は、一塊に準備され、次いで回転するスライダまたは直線的に移動可能なスライダによって、処理面にわたって分配される。しかしながらこのことによって、粉末分配の許容できる均一性を得ることは常に達成されるわけではない。
【０００６】
ゆえに本発明の課題は、従来技術におけるよりも均一な粉末分配を達成することができる設備を提供することである。
【０００７】
この課題は、請求項１に記載の特徴を備えた設備によって解決される。好適な構成は、従属請求項の対象である。
【０００８】
本発明によれば、粉末を、処理面に接してまたは処理面のそばで、もしくは処理面に隣接して、線の形で準備することが提案される。これによって、粉末の、従来公知の準備形態に対して、粉末の、次いで行われる均一な分配に関して、大きな利点が提供される。それというのは、粉末はもはや、スライダの延在に関しても、個々の小さな領域において集中しないからであり、これによって、スライダによって擦過される相応な領域における、粉末層の不均一な厚さが防止される。
【０００９】
好ましくは、粉末を処理面に隣接させて準備する処理搬送エレメントは、一方向において往復移動可能な縦長のスライド面を備えて形成されている。
【００１０】
これによって、粉末は、直に貯え室から離れる方向に移動させられ、縦長のスライド面の形状に応じて、ほぼまたは完全に線形状で処理面に隣接して配置されている。
【００１１】
線は、好ましくは直線であるか、または例えば凹面状に湾曲している。この構成が好適であるのは、処理面は通常、例えば正方形、方形または円形のような単純な幾何学形状の形で形成されているからである。処理面の形状への線形状の適合によって、はるかに、処理面のそれぞれの部分に対して、処理面の一空間方向に沿って分配すべき適宜な粉末量を準備することができる。
【００１２】
処理面が相応に他の形状を有している場合には、場合によっては相応に他の線形状を選択することも可能である。同時に処理面の特定な形状では、例えば既に円形の処理面においては、提供された粉末線が全体的に等しい厚さを、もしくは等しい幅を有しておらず、もしくは単位長さ当たり等しい量の粉末を有していないことが好適である。なぜならば、粉末線への処理面の投影図で見て、ある一定の領域においてより多くの処理面が特定の線部分に達し、これによってより多くの処理面がこれらの部分によって、擦過されねばならないからである。そのためには、線の対応する領域で増大させられた粉末量が、好適であることがある。
【００１３】
好ましくは、処理スライダは、準備された粉末を、並進移動によって処理面を越えて、特に一方向への並進移動および逆方向への並進移動だけによって、分配する。並進移動は、従来のスライダの回転移動に対して、線形状における粉末の準備との組合せにおいて、特に均一な移動および均一な粉末分配を提供し、この均一な粉末分配は、線形状に基づいてまた処理面のすべての領域に達する。
【００１４】
本発明の別の実施形態では、準備された粉末は、回転移動するもしくは旋回移動するスライダによっても分配することができる。
【００１５】
処理スライダは、好ましくは処理底部に関して制御可能に高さ調節可能であり、これによってあるときは処理スライダの下端部が処理底部に接触するか、または極めて近傍に達し（例えば粉末粒子の厚さよりも僅かな間隔をおいて）、これによりあるときは、下端部は処理底部から間隔をおいて位置する（好ましくは線形状に準備された粉末の最大高さよりも大きな間隔をおいて）。
【００１６】
このことは、一方では処理スライダを処理底部の近傍に保つか、または処理底部との接触状態に保つことを可能にし、これによって処理スライダは、移動時にほぼ、準備された線の全粉末を運ぶことになる。他方において処理スライダは、移動の後で、処理面の他方の側に向かって、処理面および／または新たに準備された粉末線を越えて上昇させられてよく、このようにすると、新たに同様な移動により粉末を移動させることができる。
【００１７】
貯え室は、好ましくは縦長に形成されており、特に既に述べた縦長のスライド面に対応して形成されている。さらに搬送エレメントは、好ましくは貯え搬送エレメントに接して終端しており、該貯え搬送エレメントは、部分的に貯え室内に配置されているか、または貯え室に隣接して配置されており、これによって供給された粉末を貯え室に沿って分配することができる。
【００１８】
このように構成されていると、貯え室内における粉末の分配によって、線形状の準備が既に部分的に準備されていることになる。特に、一方向において往復移動可能な縦長のスライド面を含む処理搬送エレメントを備えた構成では、粉末の線形状の準備は、既に、貯え室から処理底部に向かってのスライド面の一回の往復動によって実現されている。
【００１９】
このとき貯え搬送エレメントは、好ましくはスクリュコンベヤを含んでおり、該スクリュコンベヤは、貯え室に沿って延びている。
【００２０】
好ましくは、特に、スクリュコンベヤとしての、またはスクリュコンベヤを備えた構成において、貯え搬送エレメントは、互いに逆向きの搬送方向への粉末の搬送を生ぜしめる２つの形式で作動可能である。このことが好適であるのは、この場合搬送エレメントは、貯え室の中央に流すことができるからであり、これによって貯え室内における粉末の均一な分配が、より良好に保証され、このことはさらに、準備された粉末線に沿った粉末のより均一な分配を促進する。これによってまた搬送エレメントが、貯え室の中央で開口していない構成も、かつ貯え室の縁部において開口していない構成も可能である。
【００２１】
特に好ましくは、このことは、貯え搬送エレメントが、あるときは左回転するように、かつあるときは右回転するように駆動可能であるスクリュコンベヤとして構成されている実施形態において実現することができ、これによって粉末はその都度、スクリュコンベヤに沿って一方の方向に、かつ相応の逆方向に搬送され、このときこれに関連して、スクリュが、同一形状に連続するスクリュ螺条を有していることが前提条件となる。このことは、また技術的に簡単に、電動機またはこれに類したものを用いて実現することができ、しかしながらまた代替的に、貯え搬送エレメントもしくはスクリュコンベヤを両回転方向に選択的に駆動するのに適した他の駆動装置によって行うことも可能である。
【００２２】
代替的にまた貯え搬送エレメントは、異なった搬送形態を有する領域を備えて形成されていてもよく、これらの領域のうち、一方の領域は粉末を貯え室に沿って一方の方向に搬送し、かつ他方の領域は逆向きの方向に搬送する。このとき両領域は、貯え室に開口する搬送エレメントの領域において互いに隣接して位置しており、これによって粉末は貯え室全体において分配される。このとき同様に、貯え室に関して搬送エレメントが中央で開口していることも可能である。したがって搬送エレメントが貯え室の中央で開口していない構成も、貯え室の縁部において開口していない構成も可能である。
【００２３】
スクリュコンベヤを備えた構成において、このことは、スクリュが、同一形状で連続するスクリュ螺条を有しているのではなく、一方向への回転方向を有するスクリュ螺条を備えた領域と他方向への回転方向を有する領域とを有していることによって、実現することができる。
【００２４】
好ましくは、処理搬送エレメントは、処理底部に関して、下から作業を行い、つまり貯え室は、処理底部の下に位置しており、処理底部は、相応に縦長のスリット状の開口を貯え室に向かって有している。このとき貯え室からこの開口内への処理搬送エレメントの移動によって、粉末は直接、線形状で、処理面に隣接して準備される。
【００２５】
このことを達成させる特に好適な構成では、処理搬送エレメントは上面に縦長のスライド面を備えて形成されていて、このスライド面がほぼ、処理底部と面一にかつ同じ高さになるまで移動させられる。
【００２６】
好ましくは、処理搬送エレメントは、問題になるような量の粉末が処理搬送エレメントの上面と開口の内壁との間に達し得ないように、開口に合わせられて形成されている。これによって、処理搬送エレメントの単位長さ当たりの確定された粉末量を、粉末線に対して準備することが保証される。
【００２７】
好ましくは、処理搬送エレメントは、一種の直方体形状の往復動ピストンエレメントとして形成されており、この往復動ピストンエレメントは、制御されて上昇・下降することができる。すなわち、縦長のピストンヘッドが設けられており、このピストンヘッドの上面には、スライド面が対応して形成されており、かつピストンヘッドは、スライド面の延在長さに関して、ほぼスリット状の開口の長さに相当しており、かつ同様に開口の形状に合致しているので、ピストンヘッドはその行程移動時に、線形状の粉末量を貯え室から、処理底部の直ぐ上の所望のレベルに搬送することができる。
【００２８】
一般的に貯え室は、好ましくは処理底部の下に配置されていて、かつ平面図で見て処理面の側部に配置されている。
【００２９】
一般的に、保護雰囲気を必要とする粉末材料が使用されるので、処理底部および処理面は、一般的に、処理室の下面もしくは底部として形成されており、処理室は、保護雰囲気を得ることに関して相応に、壁、カバー、および相応のガスの供給・排出のための開口、および／または処理のために必要な他のエレメントおよび／または他の対象物のための開口を、気密な形式で有している。
【００３０】
好ましくは、処理面は、相応のオブジェクトピストンのヘッドによって支持されている。
【００３１】
「線形状に」もしくは「線の形で」という概念は、本発明に関しては、特に、粉末線もしくは線形状に準備された粉末、もしくは線の形で準備された粉末は、粉末の集合体であると理解することができ、この集合体は、連続していて、かつそれぞれの部分において１つの幅を有していて、かつ粉末線のすべての部分が互いに連続して並んでおり、ひいては１つの長さを確定しており、このときこの長さは、幅よりも著しく大きく、特に幅の少なくとも１０倍の大きさである。このような粉末線はまた、それぞれの部分において、特に処理底部に関して、ある一定の高さが存在しており、かつこの高さは、長さとの比較において同様に極めて小さく、好ましくは長さの少なくとも１／１０未満であると理解することができる。
【００３２】
本発明に関して、長さ、高さまたはその他の３次元座標に関して「ほぼ」という記載は、ほぼ等しく延ばされた領域内において該領域の延びが、ある一定の寸法内で異なっており、この寸法は、平均的な粒径またはそれよりも小さな粒径のオーダに相当しており、好ましくは特に１００よりも小さな粒径のオーダに相当していると理解することができる。
【００３３】
処理面に対する粉末の隣接した配置というのは、ここでは、粉末と処理面との間にある一定の間隔が存在していてよい、ならびに粉末と処理面との間にもはや間隔が存在しておらず、かつ場合によっては粉末の一部が既に処理面上に位置していると理解することができる。
【００３４】
次に、図面に示された実施形態を参照しながら、本発明を説明する。このとき本発明は、図示の実施形態に制限されるものではない。
【図面の簡単な説明】
【００３５】
【図１】本発明の１実施形態による、３次元のオブジェクトを製造する本発明に係る設備を示す鉛直断面図である。
【図２】図１に示された設備を、破線Ａ−Ａの高さで断面して示す水平断面図である。
【００３６】
図１に示されているように、材料粉末から３次元のオブジェクトを製造する本発明に係る設備１は、処理面４２を含んでおり、この処理面４２上には、粉末層４０を配置することができ、その後で例えばレーザ４４を用いて、この粉末層４０の幾つかの領域を硬化させることができる。このとき処理面４２は、処理ピストン５０の上側に、かつ処理ピストン５０の上面と面一であり、この処理ピストン５０は、粉末層４０の加工後に下方に移動し、これによって次の粉末層４０を積層すること、もしくは後続の硬化を行うことができる。
【００３７】
このとき処理面４２に隣接して処理面４２を取り囲むように処理底部４６が配置されており、この処理底部４６は、処理面４２と処理室４８の底部を形成している。
【００３８】
それぞれの硬化工程後および処理ピストン５０の下降移動後に、新たな粉末層４０が積層されねばならない。このことは、本発明によれば、上面に縦長のスライド面１９を有している処理搬送エレメント１６が、下から、粉末によって完全にまたは部分的に満たされた貯え室を貫いて移動させられることによって行われ、この移動は、処理搬送エレメント１６のスライド面１９が、程度の差こそあれ処理底部４６と面一になるまで続けられる。
【００３９】
処理搬送エレメント１６のスライド面１９は、線の形に形成されているので、それぞれの該当する行程動作後に、これによって粉末も線の形で、示された幾何学形状に対応して、処理面４２に隣接配置されて提供される。
【００４０】
このとき処理搬送エレメント１６は、貯え室１４と処理底部４６との間に形成されているスリット状の開口２１内に移動する。粉末が処理面４２に隣接して、線の形で準備された後で、処理スライダ１８が移動させられ、このとき処理スライダ１８は、処理底部４６に接触し、次いで並進的に処理面４２にわたって移動し、これによって処理スライダ１８は、粉末線を運び、かつ処理面４２にわたって分配する。処理スライダ１８は次いで、粉末のさらなる分配のために、再び並進的に同じ高さで処理面４２にわたって戻り移動させられるか、または処理スライダ１８は、相応に再び上方に向かって移動させられ、これによって処理スライダ１８は、処理面４２もしくは処理面４２上に分配された粉末との接触なしに、再びその出発位置に達することができる。
【００４１】
代替的な実施形態によれば、処理スライダ１８はまた、処理スライダ１８をその前進・後退移動時にその反転点の直前において、処理スライダ１８によって前に押し退けられた残留粉末を越えて持ち上げることができるように、制御されて上昇移動可能に構成されていてよい。このように構成されていると、残留粉末を、戻り移動時に再び運んで、処理面４２上において分配することができる。
【００４２】
貯え室１４を十分な粉末によって満たしておくために、スクリュコンベヤとして形成された搬送エレメント１２が、貯え室１４内に開口している。貯え室１４内における粉末が不十分な場合には常に、搬送エレメント１２が適宜作動させられる。
【００４３】
このときもちろん、所望の保護ガス雰囲気に基づいて相応のシール手段が、保護ガスが逃げるまたは室空気雰囲気が流入するおそれがある、すべての臨界箇所に設けられている。
【００４４】
図２に示されているように、貯え室１４および処理搬送エレメント１６もしくは処理搬送エレメント１６の、スライド面１９を備えた上面は、縦長に構成されている。貯え室１４に沿って、貯え搬送エレメント２０が延びており、この貯え搬送エレメント２０もまた同様に、スクリュコンベヤとして形成されている。搬送エレメント１２が貯え室１４内に開口していて、かつ貯え搬送エレメント２０が残りの貯え室１４に向かって壁を有していないので、貯え搬送エレメント２０は、貯え室内に存在する粉末１４を、貯え室１４の長手方向に沿って移動させること、もしくは分配することができる。
【００４５】
貯え室１４内における粉末の均一な分配を比較的良好に達成するために、貯え搬送エレメント２０もしくはスクリュコンベヤ２０は、両方向に作動可能なモータに接続されている（図示せず）。これによって図２に関して貯え搬送エレメント２０は、貯え室１４内における粉末を右から左に向かって搬送することも、左から右に向かって搬送することもできる。
【００４６】
代替的に、スクリュコンベヤ２０は、同形状に連続するスクリュ螺条を有しておらず、回転方向がほぼ、貯え室内に搬送エレメント１２が開口するところで変化するように構成されてもよい。このように構成されていると、スクリュコンベヤ２０の回転時に、粉末は両方向において貯え室１４に沿って分配される。
【００４７】
これによって両方の場合において、搬送エレメント１２もしくはスクリュコンベヤ１２は、縦長の貯え室１４もしくは貯え室１４の長手方向に関して、事実上真ん中で終端していることが可能になる。このことは同様に、貯え室１４内における粉末の均一な分配を容易にする。
【図１】
2019531938.tif 000003
【図２】
2019531938.tif 000004
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
材料粉末から３次元のオブジェクトを製造する設備（１）であって、この製造は、処理面（４２）上に位置している前記材料粉末を、それぞれの層（４０）の、幾何学形状データに従ってまさに製造すべきオブジェクトに相当する箇所において、層状に硬化させることによって行われ、当該設備（１）は、前記処理面を取り囲む処理底部（４６）および粉末供給装置（１０）を、前記処理面（４２）上における前記粉末の供給、準備および分配のために含んでおり、前記粉末供給装置（１０）は、
前記粉末供給装置（１０）内に前記粉末を供給する搬送エレメント（１２）と、
少なくとも１つの前記搬送エレメント（１２）によって前記粉末が内部に供給される貯え室（１４）と、
前記貯え室（１４）内における粉末に作用することができ、これによって前記粉末を調量された量で前記処理面（４２）に隣接させて前記処理底部（４６）において準備することができる、処理搬送エレメント（１６）と、
前記処理面（４２）に隣接して準備された前記粉末を、前記処理面（４２）にわたって分配する処理スライダ（１８）と、
を含んでおり、
前記処理搬送エレメント（１６）は、前記粉末が前記処理面（４２）に隣接して線の形で準備可能であるように設計されている、設備（１）において、
前記処理搬送エレメント（１６）は、一方向において往復移動可能な縦長のスライド面（１９）を用いて前記粉末に作用する
ことを特徴とする、粉末供給装置（１０）を備えた設備（１）。
【請求項２】
前記粉末は、前記スライド面（１９）によって前記貯え室から離れる方向に移動させられ、縦長の前記スライド面の形状に応じて、ほぼまたは完全に線形状で前記処理面に隣接して配置されている、
請求項１記載の、粉末供給装置（１０）を備えた設備（１）。
【請求項３】
前記貯え室（１４）は、縦長に形成されており、かつ前記搬送エレメント（１２）は、貯え搬送エレメント（２０）に接して終端しており、該貯え搬送エレメント（２０）は、部分的に前記貯え室（１４）内に配置されているか、または前記貯え室（１４）に隣接して配置されており、これによって、供給された前記粉末が、前記貯え室（１４）に沿って分配され、前記貯え搬送エレメント（２０）は、前記粉末を互いに逆向きの搬送方向に搬送し、かつ／または前記粉末を同時に互いに逆向きの２つの方向に搬送する、２つの形式で作動可能である、
請求項１の前提部記載または請求項１から２までのいずれか１項記載の、粉末供給装置（１０）を備えた設備（１）。
【請求項４】
前記線は、直線であるか、または凹面状に湾曲している、
請求項１から３までのいずれか１項記載の、粉末供給装置（１０）を備えた設備（１）。
【請求項５】
前記処理スライダ（１８）は、準備された前記粉末を、並進移動によって前記処理面にわたって、特に一方向への並進移動および逆方向への並進移動だけによって、分配する、
請求項１から４までのいずれか１項記載の、粉末供給装置（１０）を備えた設備（１）。
【請求項６】
前記処理スライダ（１８）は、前記処理底部（４６）に対して移動調節可能であり、これによってあるときは、前記処理スライダ（１８）の下端部が前記処理底部（４６）に接触するか、または極めて近傍に達し、これによりあるときは、前記下端部が前記処理底部（４６）から間隔をおいて位置する、
請求項１から５までのいずれか１項記載の、粉末供給装置（１０）を備えた設備（１）。
【請求項７】
前記貯え搬送エレメント（２０）は、スクリュコンベヤを含んでいるか、またはスクリュコンベヤであり、該スクリュコンベヤは、前記貯え室（１４）に沿って延びており、特に、両回転方向において駆動するように設計されている駆動装置を備えたスクリュコンベヤであり、かつ／または均一に連続するスクリュ螺条を備えておらず、一方向への回転方向を有する領域と他方向への回転方向を有する領域とを備えたスクリュコンベヤである、
請求項３記載または請求項３を引用する請求項４から６までのいずれか１項記載の、粉末供給装置（１０）を備えた設備（１）。
【請求項８】
前記搬送エレメント（１２）は、スクリュコンベヤを含んでいるか、またはスクリュコンベヤである、
請求項１から７までのいずれか１項記載の、粉末供給装置（１０）を備えた設備（１）。
【請求項９】
前記処理底部（４６）に、縦長のスリット状の開口（２１）が前記貯え室（１４）にまで形成されており、前記開口（２１）内への前記処理搬送エレメント（１６）の導入によって前記処理面（４２）へと隣接させて前記粉末を移動させるようになっており、好ましくは前記開口（２１）と前記処理搬送エレメント（１６）とは、通常の粒径を有する粉末が、前記処理搬送エレメント（１６）の側壁と前記開口（２１）の内壁との間にほぼ達し得ないように、形状結合式にかつ／または密に互いに合わせられている、
請求項１から８までのいずれか１項記載の、粉末供給装置（１０）を備えた設備（１）。
【請求項１０】
前記貯え室（１４）は、前記処理底部（４６）の下に、かつ平面図で見て前記処理面（４２）の側部に配置されている、
請求項１から９までのいずれか１項記載の、粉末供給装置（１０）を備えた設備（１）。
【請求項１１】
前記処理搬送エレメント（１６）は、往復動ピストンエレメントとして、特にＴ字形の往復動ピストンエレメントとして形成されている、
請求項１から１０までのいずれか１項記載の、粉末供給装置（１０）を備えた設備（１）。
【国際調査報告】
2019531938.tif 000005
2019531938.tif 000006
2019531938.tif 000007
2019531938.tif 000008
2019531938.tif 000009
2019531938.tif 000010